(57)【特許請求の範囲】
【請求項１】
少なくとも上下枠材については、部材長手方向に沿って内方側に向けた開口溝が形成された部材を用いて四周枠が構成されるとともに、前記上下枠材に形成された開口溝、或いは前記上下枠材の開口溝を利用して設置された中間介在部材の障子嵌合凹部を利用して前記四周枠内に水平方向に隣接して各障子が建て込まれ、かつ左右縦枠材の少なくとも一方側に配設された障子押圧手段によって各障子に対して水平方向の押圧力が加えられていることを特徴とする連設障子構造。
【請求項２】
左右縦枠材についても、部材長手方向に沿って内方側に向けた開口溝が形成され、左右縦枠材に隣接する障子はそれぞれ、左右縦枠材の対向面側に前記開口溝に嵌入される嵌合凸部を有する請求項１記載の連設障子構造。
【請求項３】
各障子の上框の上面には、上枠材の開口溝に嵌入される嵌合凸部を有する請求項１、２いずれかに記載の連設障子構造。
【請求項４】
水平方向に隣接する障子間において、縦框同士が互いに嵌合部を有しながら接合されている請求項１〜３いずれかに記載の連設障子構造。
【請求項５】
各障子の下框と下枠材との間に水受け用下レール部材が介在され、前記水受け用下レール部材は、下面側に下枠材の開口溝に嵌入される嵌合凸部を有し、かつ上面側に障子下框が嵌合される障子嵌合凹部を有する請求項１〜４いずれかに記載の連設障子構造。
【請求項６】
前記請求項１〜５記載の連設障子を構築するための施工方法であって、前記上下枠材と左右縦枠材の一方側縦枠材とにより、側部に開口部を有する三方枠の状態とし、三方枠の側部開口側から各障子を挿入して建て込んだならば、前記側部開口辺に左右縦枠材の他方側縦枠材を取付け、左右縦枠材の少なくとも一方側に配設された障子押圧手段によって各障子に対して水平方向の押圧力を与えることを特徴とする連設障子の施工方法。
【請求項７】
請求項５記載の連設障子を構築するための施工方法であって、前記上下枠材および左右縦枠材により四周枠を構成した後、前記水受け用下レールの前記障子嵌合凹部を形成している一方側起立壁の一部分に障子下框を挿入可能とする幅で切欠き部を形成しておき、前記切欠き部から各障子を建て込んだならば、押縁を前記一方側起立壁部に沿って設置し、左右縦枠材の少なくとも一方側に配設された障子押圧手段によって各障子に対して水平方向の押圧力を与えることを特徴とする連設障子の施工方法。
【請求項８】
前記請求項１〜５記載の連設障子を構築するための施工方法であって、障子をケンドン嵌合方式により嵌め込みできるように、前記上下枠材および左右縦枠材により四周枠を構成した後、ケンドン嵌合方式により各障子を四周枠内に建て込んだならば、左右縦枠材の少なくとも一方側に配設された障子押圧手段によって各障子に対して水平方向の押圧力を与えることを特徴とする連設障子の施工方法。
【発明の詳細な説明】
【０００１】
【発明の属する技術分野】
本発明は、例えば店舗などにおいて、室内外の境界位置に設置される連設障子の構造およびその施工方法に関する。
【０００２】
【従来の技術】
従来より、店舗などにおいて室内外を仕切る境界位置にガラス障子を水平方向に連設してガラス張りとし、室外から店舗内が見えるようにしたものや、ビル等の１階フロントにおいて出入り口部に隣接してガラス障子を水平方向に連設して室内がガラス張り状態で見えるようにしたもの、さらにはビル等の室内において水平方向に連設したガラス障子によって間仕切りしたものなど（以下、連設障子という。）が知られている。
【０００３】
かかる連設障子は、たとえば図１２〜図１４に示されるように、躯体開口部の四辺にそれぞれ上枠６０、下枠６１および左右縦枠６２，６３を固定するとともに、水平方向に所定間隔で方立６５を鉛直方向に建て込むとともに、必要に応じて高さ方向の適宜の位置に無目６４を架け渡し、かつガラス嵌合溝を形成するために、前記各枠材６０〜６３および方立６５および無目６４に対してそれぞれ、枠カバー６６〜７１、無目カバー７２，７３などをビス止めしてガラス開口枠を形成し、ガラスＧを嵌合するようにしている。
【０００４】
【発明が解決しようとする課題】
しかしながら、前述の連設障子のような構造の場合には、各部材毎に躯体開口部内に組み込んでいく施工方法を採るため、枠組みを完成するまでに多くの手間と時間が掛かるとともに、前記枠カバー６６〜７１は各枠材６０〜６３および方立６５に対してタイト材７４，７４…の接触により気水密性を確保するようにしており、前記タイト材７４を枠材６０〜６３および方立６５に押し付けながら固定する必要があるため、各枠カバー６６〜７１をビス７５、７５…によって固定していた。そのため、これら枠カバー６６〜７１の取付けにも手間と時間が掛かるなどの問題があった。
【０００５】
そこで本発明の主たる課題は、障子の建込みによって施工ができるようにするとともに、各障子の接合部におけるビス止めを無くすなどにより、構造および施工の簡略化を図った連設障子構造およびその施工方法を提供することにある。
【０００６】
【課題を解決するための手段】
前記課題を解決するために請求項１に係る本発明として、少なくとも上下枠材については、部材長手方向に沿って内方側に向けた開口溝が形成された部材を用いて四周枠が構成されるとともに、前記上下枠材に形成された開口溝、或いは前記上下枠材の開口溝を利用して設置された中間介在部材の障子嵌合凹部を利用して前記四周枠内に水平方向に隣接して各障子が建て込まれ、かつ左右縦枠材の少なくとも一方側に配設された障子押圧手段によって各障子に対して水平方向の押圧力が加えられていることを特徴とする連設障子構造が提供される。
【０００７】
上記請求項１に係る発明においては、先ず四周枠を構成し、この四周枠内に各障子を建て込むことで連設障子が構築される。また、左右縦枠材の少なくとも一方側に配設された障子押圧手段によって各障子に対して水平方向の押圧力が加えられることにより、建て込まれた各障子が移動不能の状態で拘束されるようになるとともに、各障子間の気水密が確実に確保されるようになる。なお、この障子は枠組みした状態で建て込まれ、移動不能の状態で拘束された後、ガラス、ボードなどのパネル材を嵌め込むことが取り扱い上、好ましい。
【０００８】
請求項２に係る本発明として、左右縦枠材についても、部材長手方向に沿って内方側に向けた開口溝が形成され、左右縦枠材に隣接する障子はそれぞれ、左右縦枠材の対向面側に前記開口溝に嵌入される嵌合凸部を有する請求項１記載の連設障子構造が提供される。
【０００９】
請求項３に係る本発明として、各障子の上框の上面には、上枠材の開口溝に嵌入される嵌合凸部を有する請求項１、２いずれかに記載の連設障子構造が提供される。
【００１０】
請求項４に係る本発明として、水平方向に隣接する障子間において、縦框同士が互いに嵌合部を有しながら接合されている請求項１〜３いずれかに記載の連設障子構造が提供される。
【００１１】
請求項５に係る本発明として、各障子の下框と下枠材との間に水受け用下レール部材が介在され、前記水受け用下レール部材は、下面側に下枠材の開口溝に嵌入される嵌合凸部を有し、かつ上面側に障子下框が嵌合される障子嵌合凹部を有する請求項１〜４いずれかに記載の連設障子構造が提供される。
【００１２】
請求項６に係る本発明として、前記請求項１〜５記載の連設障子を構築するための施工方法であって、前記上下枠材と左右縦枠材の一方側縦枠材とにより、側部に開口部を有する三方枠の状態とし、三方枠の側部開口側から各障子を挿入して建て込んだならば、前記側部開口辺に左右縦枠材の他方側縦枠材を取付け、左右縦枠材の少なくとも一方側に配設された障子押圧手段によって各障子に対して水平方向の押圧力を与えることを特徴とする連設障子の施工方法が提供される。
【００１３】
請求項７に係る本発明として、請求項５記載の連設障子を構築するための施工方法であって、前記上下枠材および左右縦枠材により四周枠を構成した後、前記水受け用下レールの前記障子嵌合凹部を形成している一方側起立壁の一部分に障子下框を挿入可能とする幅で切欠き部を形成しておき、前記切欠き部から各障子を建て込んだならば、押縁を前記一方側起立壁部に沿って設置し、左右縦枠材の少なくとも一方側に配設された障子押圧手段によって各障子に対して水平方向の押圧力を与えることを特徴とする連設障子の施工方法が提供される。
【００１４】
請求項８に係る本発明として、前記請求項１〜５記載の連設障子を構築するための施工方法であって、障子をケンドン嵌合方式により嵌め込みできるように、前記上下枠材および左右縦枠材により四周枠を構成した後、ケンドン嵌合方式により各障子を四周枠内に建て込んだならば、左右縦枠材の少なくとも一方側に配設された障子押圧手段によって各障子に対して水平方向の押圧力を与えることを特徴とする連設障子の施工方法が提供される。
【００１５】
【発明の実施の形態】
以下、本発明の実施の形態について図面を参照しながら詳述する。
【００１６】
〔第１形態例〕
図１は本発明の第１形態例に係る連設障子構造の正面図（姿図）であり、図２は図１のII−II線矢視図、図３は図１のIII−III線矢視図である。
【００１７】
連設障子１は、躯体または適宜の梁部材または柱部材等の支持材に対して、例えばアングル４、４などの保持具によって固定配置された四周枠２と、この四周枠２内に水平方向に隣接して建て込まれた障子５〜７とからなるもので、店舗などにおいて室内外を仕切る外壁や、ビル等の１階フロントや、室内の間仕切りや、仮設建屋などとして設置されるものである。
【００１８】
前記四周枠２は、上下枠材２Ａ、２Ｂおよび左右縦枠材２Ｃ、２Ｄをコーナー部で接合し枠状に構成したもので、各枠材２Ａ〜２Ｄとしては、部材長手方向に沿って開口溝が形成された溝型鋼が使用され、前記開口溝を四周枠２の内方側に臨ませて配置されている。各枠材２Ａ〜２Ｄの接合は、直交方向に交差する２辺方向の枠材に跨る断面Ｌ字状の連結部材１０をコーナー部に配置し、枠材のそれぞれの側でボルト・ナット１１によって締結することにより行われている。
【００１９】
また、前記右縦枠材２Ｄの高さ方向中間位置には、隣接配置された各障子５〜７に水平方向の押圧力を与えるために障子押圧手段９が設けられている。この障子押圧手段９は、右縦枠材２Ｄの底壁に対して、通孔を形成するとともに、この通孔位置にナット９ａを固設し、四周枠２の内方側からボルト９ｂを前記ナット９ａに螺入し、四周枠２の外方側でナット９ｃに締結した構造が採られている。なお、本例では前記障子押圧手段９を右縦枠材２Ｄにのみ設けるようにしたが、左右縦枠材２Ｃ、２Ｄの両方に設けるようにしてもよいし、高さ方向の複数ヶ所に設けるようにしてもよい。
【００２０】
前記四周枠２内に各障子５〜７を建て込むに当たり、下枠材２Ｂの上面側には、図２に詳細に示されるように、本発明における「中間介在部材」に相当する水受け用下レール３が設置されている。この水受け用下レール３は、下面側に下枠材２Ｂの開口溝に嵌入される嵌合凸部３ａを有し、かつ上面の室外側寄り位置に室外側起立壁３ｂを有するとともに、室内側寄り位置に室内側起立壁３ｃを有し、これら両起立壁３ｂ、３ｃによって障子５〜７の下框が嵌合される障子嵌合凹部ＭＬが形成された部材断面を成し、障子５〜７の下框１３内に浸入した雨水等は水受け用下レール３に形成された通孔３ｅ、３ｆを通って室外に排出されるようになっている。なお、前記室内側起立壁３ｃの上部にはタイト材２０が保持され、障子下框１３の室内側面に当接することにより、気水密性が確保されるようになっている。また、前記室内側起立壁３ｃにはブラケット２１がビスによって固定され、額縁２２が取り付けられている。
【００２１】
一方、前記四周枠２内に建て込まれる各障子５〜７は、図２の縦断面図に示されるように、上框１２、下框１３および中間横材１４については共通的に使用されているが、左右縦框１５〜１８については、左端側障子５、中間障子６，６、右端側障子７毎に異なる断面形状のものが使用されている。
【００２２】
先ず、各障子５〜７の上框１２は、上面側に上枠材２Ａの開口溝に嵌入される嵌合凸部１２ａが形成され、障子５〜７の上端側が上枠材２Ａによって支持されるようになっているとともに、下面側にガラス嵌合溝１２ｂが形成された部材断面を成し、一方各障子５〜７の下框１３は、前記水受け用下レール３の障子嵌合凹部ＭＬに嵌合され、下部側が前記水受け用下レール３によって支持されるようになっているとともに、上面側に押縁２４の設置によってガラス嵌合溝となる段部１３ａが形成されている。前記中間横材１４は２つ中空部が上下段で形成された断面形状を成し、上面側に押縁２３の設置によってガラス嵌合溝となる段部１４ａが形成され、下面側に凹状のガラス嵌合溝１４ｂが形成されている。なお、前記上框１２の室内側面にはブラケット２１がビスによって固定され、額縁２２が取り付けられるようになっている。
【００２３】
一方、左右縦框１５〜１８について、図３に基づいて左端側障子５側から順に説明すると、左端側障子５の左縦框１５は、左縦枠２Ｃの対向面側に左縦枠材２Ｃに形成された開口溝に嵌入される嵌合凸部１５ａが形成され、反対面側にはガラス嵌合溝１５ｂが形成された中空断面部材が使用され、他方側の右縦框１６は、見付け壁面１６ａ、１６ｂおよび見込み壁面１６ｃからなる略コ字状断面を成し、前記見込み壁面１６ｃの中間には、ガラスＧの嵌合溝１６ｅが形成されるとともに、隣接する中間障子６の左縦框１７との嵌合凸部１６ｄが形成された部材が使用されている。
【００２４】
次いで、中間障子６は、左縦框１７として、見込み壁面１７ａの中間にガラスＧの嵌合溝１７ｂが形成されるとともに、前記左端側障子５の右縦框１６の嵌合凸部１６ｄと嵌合される嵌合凹部１７ｃが形成された部材が使用されている。前記右縦框１６と左縦框１７とは、両者を組み合わせた状態では、あたかも室内外に夫々中空部を有する単一断面状の部材を構成するようになっている。なお、前記右縦框１６と左縦框１７との接合部には、タイト材２５が設けられ気水密が確保されるようになっている。
【００２５】
最後に、右端側障子７は、左縦框として前記左縦框１７が使用され、右縦框１８は、右縦枠２Ｄの対向面側に右縦枠材２Ｄに形成された開口溝に嵌入される嵌合凸部１８ａが形成され、反対面側にはガラス嵌合溝１８ｂが形成された中空断面部材が使用されている。
【００２６】
以上、障子縦框について総括すると、左端側および右端側に配置される障子５、７の左右縦枠材２Ｃ、２Ｄ対向面側の縦框１５、１８には夫々、縦枠材２Ｃ、２Ｄに形成された開口溝に嵌入される嵌合凸部１５ａ、１８ａが形成され、その他の障子境界部では左縦框１６と右縦框１７とが互いに嵌合部を有しながら接合されるようになっている。
【００２７】
前述した連設障子１の施工に当たっては、図４に示されるように、前記四周枠２の上下枠材２Ａ、２Ｂと左縦枠材２Ｃとにより他方がわ側部に開口部を有する三方枠の状態とし、三方枠の側部開口側から順次、左端側障子５，中間障子６、６、右端側障子７の順で各障子５〜７を枠内に挿入して建て込むようにする。すべての障子５〜７を建て込んだならば、右縦枠材２Ｄを取付けて四周枠２を完成し、最後に右縦枠材２Ｄに設けてある障子押圧手段９により各障子５〜７に対して水平方向の押圧力を与えるようにする。なお、ガラスＧについては、予め障子を建て込む前に取付けるようにしても良いが、重量が嵩むようになるため、作業性の点から各障子５〜７の建込みを完了した後に設置するのが望ましい。ガラスＧの嵌め込みは、左右方向については遣り返しにより、上下方向については上げ落とし（ケンドン嵌合方式）によりガラス嵌合溝に嵌合させた後、押縁２３，２４を取付けて固定するようにする。また、四周枠２の外周側に化粧板１９、１９…を取り付けて施工を完了する。
【００２８】
〔第２形態例〕
次いで、図５〜図７に示される本第２形態例は、予め四周枠２を完成した状態で各障子５〜７の建込みを行うようにした障子構造およびその施工方法を示したものである。具体的には、図５に示されるように、構造的に四周枠２の室外側面の一部（右端側障子７部位）から各障子５〜７を挿入できるようにしておき、すべての障子５〜７を建て込んだならば、各障子５〜７の上下框１２，１３の室外側に押縁２６，２７を長手通しで取付け、障子７が抜け出ないように支持するようにしたものである。
【００２９】
かかる障子建込み方法を採るに当たって、前記第１形態例で示した連設障子構造に対し一部の変更が加えられる。以下、その変更点のみを説明すると、図６に示されるように、上枠材２Ａ側に上レール８を取り付けるようにする。この上レール８は、上面側に上枠材２Ａの開口溝に嵌入される嵌合凸部８ａを有し、かつ上面の室外側寄り位置に室外側起立壁８ｂを有するとともに、室内側寄り位置に室内側起立壁８ｃを有し、これら両起立壁８ｂ、８ｃによって障子５〜７の上框が嵌合される障子嵌合凹部ＭＵが形成されている。前記室外側起立壁８ｂの一部分については、図５に示されるように、右端側障子７部位に予め室外側の面から各障子５〜７を挿入できるように、ほぼ障子幅分の切欠き部８ｇを設けておく。
【００３０】
一方、水受け用下レール３の断面形状は、室外側に額縁を兼ねる押縁２７を取付け出来るように、室外側に延在して押縁台座面を有する断面形状とし、前記室外側起立壁３ｂの一部分については、図５に示されるように、右端側障子７部位に予め室外側の面から障子５〜７が挿入できるように、ほぼ障子幅分の切欠き部３ｇを設けておく。
【００３１】
一方、障子５〜７に関して、左端側障子５の左縦框１５については、上下框１２，１３に取り付ける額縁兼用押縁と意匠を合わせるために、縦額縁２８を設置座面を有する断面形状とする。中間障子６，６の右縦框１６、左縦框１７については、第１形態例に図示されたものとは断面寸法が若干異なるが同一構造のものを使用し、右端側障子７と隣接する中間障子６の右縦框１６’と、右端側障子７の左縦框１７’については、水平方向の移動代が取れない状態で建て込みを行わなければならないため、縦框同士の嵌合を行わないようにするとともに、縦框同士の接合部を対角線方向線Ｋの位置としている。
【００３２】
障子の建込みは、図５に示されるように、前記上レール８に設けた切欠き部８ｇおよび水受け用下レール３に設けた切欠き部３ｇの位置から、左端側障子５，中間障子６，６の順で嵌め込み、左端側方向に移動させる。最後の右端側障子７については、右縦框１８の嵌合凸部１８ａを右枠材２Ｄの開口溝に嵌入させ、該嵌入部を回転中心として障子を回転させるようにしながら嵌め込むようにする。すべての障子５〜７を建て込んだならば、上框１２および下框１３の室外側に額縁を兼用する押縁２６，２７を長手通しで取り付け、右端側障子７が抜け出ないように支持するとともに、左端側障子５の左縦框１５および右端側障子７の右縦框１８の室外側に額縁２８，２９を取付ける。また、右縦枠材２Ｄに設けてある障子押圧手段９により各障子５〜７に対して水平方向の押圧力を与えるようにする。また、四周枠２の外周側に化粧板１９、１９…を取り付けて施工を完了する。なお、上記上レール８は本発明における「中間介在部材」を構成するものであるが、上レール８を省略し、上框１２に形成されている嵌合凸部１２ａを直接、上枠材２Ａの開口溝に嵌合させて建て込むようにしてもよい。
【００３３】
〔第３形態例〕
図８〜図１０に示される第３形態例も、予め四周枠２を完成した状態で、各障子５〜７の建込みを行うようにした障子構造およびその施工方法を示したもので、具体的には、図８に示されるように、障子５〜７の建込み状態で上枠材２Ａの下面と、上框１２の本体部上面との間に所定の間隙Ｓを空けるようにし、各障子５〜７をケンドン嵌合方式によって建込みできるようにする。なお、四周枠２内には水受け用下レール３のみを配設し、上レール８は設けていない。
【００３４】
かかる障子建込み方法を採るに当たって、前記第１形態例で示した連設障子構造に対し一部の変更が加えられる。以下、その変更点のみを説明すると、図９に示されるように、上框１２の嵌合凸部１２ａについては、室内外方向に連通する空間が形成されないように、障子幅に亘る長さで形成するとともに、上框１２の上面側に上枠材２Ａ下面と上框１２上面の隙間を封鎖する気密材３０，３０を配設している。この気密材３０，３０は、障子建込み後に障子の上下移動阻止と、気密保持のために間隙に挿入すればよい。また、前記第２形態例で説明したように、右端側障子７と隣接する中間障子６の右縦框１６’と、右端側障子７の左縦框１７’については、水平方向の移動代が取れない状態で建て込みを行わなければならないため、縦框同士の嵌合を行わないようにするとともに、縦框同士の接合部を対角線方向線Ｋの位置としている。
【００３５】
障子の建込みは、図８に示されるように、左端側障子５，中間障子６，６の順でケンドン嵌合方式による嵌め込みで四周枠２内に建込みを行い、左端側に移動させる。最後の右端側障子７については、ケンドン嵌合方式で嵌め込みを行いながら、右縦框１８の嵌合凸部１８ａを右縦枠材２Ｄの開口溝に嵌入させ、該嵌入部を回転中心として障子を回転させるようにしながら嵌め込むようにする。すべての障子５〜７を建て込んだならば、右縦枠材２Ｄに設けてある障子押圧手段９により各障子５〜７に対して水平方向の押圧力を与えるようにする。また、四周枠２の外周側に化粧板１９、１９…を取り付けて施工を完了する。
【００３６】
ところで、本第１〜第３形態例において、右縦枠２Ｄの外部側には障子押圧手段９の螺退進調整のためにスペースを空けておき、すべての作業が完了した後、後施工コンクリート、または化粧板等により塞ぐようにする。また、各障子５〜７をさらに堅固に固定するために、上枠材２Ａに対して前記障子押圧手段９と同じ構造の押圧手段９を各障子５〜７位置に配設しておき、各障子５〜７を鉛直方向に押圧して固定することもできる。さらに、本例ではガラス障子の例で説明を行ったが透過面を有しないパネル、ボードなどであってもよい。
【００３７】
また、交差する障子連設面のコーナー部では、例えば図１１に示されるように、コーナー柱３１に対して各端部側縦枠材２Ｅ、２Ｅを接合し、かつ前記コーナー柱３１を覆うとともに、端部側縦枠材２Ｅ、２Ｅに対してビス３３，３３によって固定されるコーナー部化粧板３２を配設するようにして各障子連設面を連続させるようにする。
【００３８】
【発明の効果】
以上詳説のとおり本発明によれば、障子が水平方向に連設される連設障子において、障子の建込みのみによって施工ができるようになるとともに、各障子の接合部におけるビス止めが無くなるなどにより、構造および施工の簡略化を図り得るようになる。
【図面の簡単な説明】
【図１】本発明の第１形態例に係る連設障子構造の正面図（姿図）である。
【図２】その縦断面図（図１のII−II線矢視図）である。
【図３】その横断面図（図１のIII−III線矢視図）である。
【図４】その施工要領図である。
【図５】本発明の第２形態例における施工要領図である。
【図６】第２形態例に係る連設障子の縦断面図である。
【図７】第２形態例に係る連設障子の横断面図である。
【図８】本発明の第３形態例における施工要領図である。
【図９】第３形態例に係る連設障子の縦断面図である。
【図１０】第３形態例に係る連設障子の横断面図である。
【図１１】連設障子のコーナー部構造を示す横断面図である。
【図１２】従来の連設障子構造を示す正面図である。
【図１３】その縦断面図である。
【図１４】その横断面図である。
【符号の説明】
１…連設障子、２…四周枠、３…水受け用下レール、５…左端側障子、６…中間障子、７…右端側障子、８…上レール、９…障子押圧手段、１０…連結部材、１１…ボルト・ナット、１２…上框、１３…下框、１４…中間横材、１５〜１８…縦框
【図１】
0003707542.tif 000002
【図２】
0003707542.tif 000003
【図３】
0003707542.tif 000004
【図４】
0003707542.tif 000005
【図５】
0003707542.tif 000006
【図６】
0003707542.tif 000007
【図７】
0003707542.tif 000008
【図８】
0003707542.tif 000009
【図９】
0003707542.tif 000010
【図１０】
0003707542.tif 000011
【図１１】
0003707542.tif 000012
【図１２】
0003707542.tif 000013
【図１３】
0003707542.tif 000014
【図１４】
0003707542.tif 000015